(57)【要約】【課題】遺伝子検査結果を、ユーザが感覚的に理解し易い態様で提示し、検査結果を閲覧することで、ユーザの健康に対する意識を向上させる。【解決手段】情報管理サーバ（１０）は、対象ユーザの遺伝子検査結果を対象ユーザに提示する遺伝子検査結果提示装置であって、対象ユーザの遺伝子検査結果に応じて決定された対象ユーザの体質情報を参照して、対象ユーザの体質情報に応じた形態を有する対象ユーザのアバター画像を生成し、対象ユーザに提示する。【選択図】図１
2016071721.tif 000002
【特許請求の範囲】
【請求項１】
対象ユーザの遺伝子検査結果を該対象ユーザに提示する遺伝子検査結果提示装置であって、
該対象ユーザの遺伝子検査結果に応じて決定された該対象ユーザの体質情報を参照して、該対象ユーザの体質情報に応じた形態を有する該対象ユーザのアバター画像を生成するアバター画像生成手段と、
該アバター画像生成手段が生成した該対象ユーザのアバター画像を、該対象ユーザに提示するアバター画像提示手段とを備えていることを特徴とする遺伝子検査結果提示装置。
【請求項２】
上記アバター画像生成手段は、上記対象ユーザの年齢、性別、体重および身長からなる群より選択される少なくとも一つの属性情報を更に参照して、該対象ユーザの体質情報および属性情報に応じた形態を有する上記対象ユーザのアバター画像を生成することを特徴とする請求項１に記載の遺伝子検査結果提示装置。
【請求項３】
上記アバター画像提示手段が提示した上記対象ユーザのアバター画像に対する、上記対象ユーザからの修正指示の入力を受け付ける修正受付手段を更に備え、
上記アバター画像生成手段は、該修正受付手段が受け付けた上記対象ユーザからの修正指示を反映させた上記対象ユーザの第二のアバター画像を生成し、
上記アバター画像提示手段は、上記アバター画像生成手段が生成した上記対象ユーザの第二のアバター画像を、上記対象ユーザに提示することを特徴とする請求項１または２に記載の遺伝子検査結果提示装置。
【請求項４】
上記アバター画像生成手段は、上記対象ユーザのアバター画像を生成するときに、当該アバター画像を特徴付ける形態的要素のうち一部をランダムに決定することを特徴とする請求項１〜３の何れか一項に記載の遺伝子検査結果提示装置。
【請求項５】
上記対象ユーザの行動計画の入力を受け付ける計画受付手段を更に備え、
上記アバター画像生成手段は、該計画受付手段が受け付けた上記対象ユーザの行動計画を参照して、該行動計画に応じた変化を反映させた上記対象ユーザの第三のアバター画像を生成し、
上記アバター画像提示手段は、上記アバター画像生成手段が生成した上記対象ユーザの第三のアバター画像を、上記対象ユーザに提示することを特徴とする請求項１〜４の何れか一項に記載の遺伝子検査結果提示装置。
【請求項６】
上記対象ユーザの遺伝子検査結果から上記対象ユーザの体質情報を算出する算出手段を更に備えていることを特徴とする請求項１〜５の何れか一項に記載の遺伝子検査結果提示装置。
【請求項７】
上記対象ユーザの体質情報は、上記対象ユーザの祖先を示すルーツ情報を含むことを特徴とする請求項１〜６の何れか一項に記載の遺伝子検査結果提示装置。
【請求項８】
上記対象ユーザの体質情報は、複数の項目からなり、
上記アバター画像生成手段は、上記対象ユーザの体質情報の一つ以上の項目に関連付けられた素材画像またはパラメータを抽出し、抽出した素材画像またはパラメータを参照して、上記対象ユーザのアバター画像を生成することを特徴とする請求項１〜７の何れか一項に記載の遺伝子検査結果提示装置。
【請求項９】
対象ユーザの遺伝子検査結果に応じて決定された該対象ユーザの体質情報を参照して、該対象ユーザの体質情報に応じた形態を有する該対象ユーザのアバター画像を生成するアバター画像生成手段を備えていることを特徴とするアバター画像生成装置。
【請求項１０】
対象ユーザの遺伝子検査結果を該対象ユーザに提示する遺伝子検査結果提示方法であって、
該対象ユーザの遺伝子検査結果に応じて決定された該対象ユーザの体質情報を参照して、該対象ユーザの体質情報に応じた形態を有する該対象ユーザのアバター画像を生成するアバター画像生成ステップと、
該アバター画像生成ステップにおいて生成した該対象ユーザのアバター画像を、該対象ユーザに提示するアバター画像提示ステップとを含んでいることを特徴とする遺伝子検査結果提示方法。
【請求項１１】
請求項１〜８の何れか一項に記載の遺伝子検査結果提示装置または請求項９に記載のアバター画像生成装置としてコンピュータを機能させるためのプログラムであって、コンピュータを上記各手段として機能させるためのプログラム。
【請求項１２】
請求項１１に記載のプログラムを記録したコンピュータ読み取り可能な記録媒体。
【発明の詳細な説明】
【技術分野】
【０００１】
本発明は、対象ユーザの遺伝子検査結果を該対象ユーザに提示する遺伝子検査結果提示装置および遺伝子検査結果提示方法、ならびに、対象ユーザのアバター画像を生成するアバター画像生成装置に関する。
【背景技術】
【０００２】
近年、人々の健康への意識が高まっていることを背景として、人々の健康に関する情報を取り扱うサービスの開発が盛んに行われている。
【０００３】
例えば、非特許文献１には、健康診断または人間ドックの検査結果をＷＥＢサイトで管理する機能を有するサービスが記載されている。非特許文献１に記載のＷＥＢサイトでは、検査結果に含まれるＢＭＩ等の情報をもとに、ユーザの健康状態を示すアバターが表示され、検査結果をもとに、健康リスクの高い疾患を示すアイコンが表示される。
【０００４】
一方で、非特許文献１における検査結果が示すようなユーザの現在の健康状態ではなく、ユーザの持って生まれた体質を知りたいという要求も存在する。そのため、ユーザの遺伝子検査結果を提示する技術が開発されている。例えば、非特許文献２には、ユーザの遺伝子検査結果から算出した、ある疾患に関するユーザの発症リスクを、バー状のテンプレートと共に表示することが記載されている。
【先行技術文献】
【非特許文献】
【０００５】
【非特許文献１】ベネフィットワン・ヘルスケア「ハピルス検診」本日より開設、［online］、［平成２６年９月１０日検索］、インターネット〈http://www.pasonagroup.co.jp/news/company/2013/p13041601.html〉
【非特許文献２】ＤｅａｒＧｅｎｅ、［online］、［平成２６年８月２５日検索］、インターネット〈https://www.deargene.jp/〉
【発明の概要】
【発明が解決しようとする課題】
【０００６】
しかしながら、非特許文献２のような従来技術は、遺伝子検査結果を、ユーザが感覚的に理解し易い態様で提示するものではない。また、検査結果を閲覧することにより、ユーザが健康を維持するような意識を向上させるものではない。
【０００７】
本発明は、上記の課題に鑑みてなされたものであり、遺伝子検査結果を、ユーザが感覚的に理解し易い態様で提示し、検査結果を閲覧することで、ユーザの健康に対する意識を向上させるための技術を提供することを主たる目的とする。
【課題を解決するための手段】
【０００８】
上記の課題を解決するために、本発明の一態様に係る遺伝子検査結果提示装置は、対象ユーザの遺伝子検査結果を該対象ユーザに提示する遺伝子検査結果提示装置であって、該対象ユーザの遺伝子検査結果に応じて決定された該対象ユーザの体質情報を参照して、該対象ユーザの体質情報に応じた形態を有する該対象ユーザのアバター画像を生成するアバター画像生成手段と、該アバター画像生成手段が生成した該対象ユーザのアバター画像を、該対象ユーザに提示するアバター画像提示手段とを備えていることを特徴としている。
【０００９】
上記の構成によれば、遺伝子検査結果提示装置は、遺伝子検査結果に応じて決定された対象ユーザの体質情報に応じた形態を有するアバター画像を、対象ユーザに提示する。このように、対象ユーザの遺伝子検査結果を、単なる数値やグラフ等ではなく、遺伝子検査結果に応じて決定された対象ユーザの体質情報に応じた形態を有するアバター画像によってユーザに提示することにより、遺伝子検査結果をユーザが感覚的に理解し易い態様で提示し、検査結果を閲覧することで、ユーザの健康に対する意識を向上させることができる。
【００１０】
本発明の一態様に係る遺伝子検査結果提示装置では、上記アバター画像生成手段は、上記対象ユーザの年齢、性別、体重および身長からなる群より選択される少なくとも一つの属性情報を更に参照して、該対象ユーザの体質情報および属性情報に応じた形態を有する上記対象ユーザのアバター画像を生成してもよい。
【００１１】
上記の構成によれば、対象ユーザの年齢、性別、体重および身長からなる群より選択される少なくとも一つの属性情報に応じた形態を有するアバター画像を生成することができる。これにより、上記遺伝子検査結果を感覚的に理解し易く示すと共に、対象ユーザのアバターであることが感覚的に理解し易いアバター画像を生成することができる。これにより、アバターおよび当該アバターが示す検査結果の印象を強め、ユーザの健康に対する意識をより向上させることができる。
【００１２】
本発明の一態様に係る遺伝子検査結果提示装置は、上記アバター画像提示手段が提示した上記対象ユーザのアバター画像に対する、上記対象ユーザからの修正指示の入力を受け付ける修正受付手段を更に備え、上記アバター画像生成手段は、該修正受付手段が受け付けた上記対象ユーザからの修正指示を反映させた上記対象ユーザの第二のアバター画像を生成し、上記アバター画像提示手段は、上記アバター画像生成手段が生成した上記対象ユーザの第二のアバター画像を、上記対象ユーザに提示するものであってもよい。
【００１３】
上記の構成によれば、遺伝子検査結果に応じて決定された対象ユーザの体質情報に応じた形態を有するアバター画像を、対象ユーザが修正可能とすることにより、対象ユーザのアバター画像に個性を与えることができる。また、対象ユーザが、アバター画像を現在の自分に近づけるように修正していく過程において、例えば、自分は太り難い体質であるのに、現在は太っているといった、自身の生まれ持つ遺伝子的な体質と、現在の自分との差異に気付くことができる。これにより、対象ユーザに対し、生活習慣の見直し等のきっかけを与えることができる。
【００１４】
本発明の一態様に係る遺伝子検査結果提示装置では、上記アバター画像生成手段は、上記対象ユーザのアバター画像を生成するときに、当該アバター画像を特徴付ける形態的要素のうち一部をランダムに決定するものであってもよい。
【００１５】
上記の構成によれば、アバター画像を特徴付ける形態的要素のうち一部がランダムに決定されていることにより、対象ユーザのアバター画像に個性を与えることができる。これにより、アバターおよび当該アバターが示す検査結果の印象を強め、ユーザの健康に対する意識をより向上させることができる。
【００１６】
本発明の一態様に係る遺伝子検査結果提示装置は、上記対象ユーザの行動計画の入力を受け付ける計画受付手段を更に備え、上記アバター画像生成手段は、該計画受付手段が受け付けた上記対象ユーザの行動計画を参照して、該行動計画に応じた変化を反映させた上記対象ユーザの第三のアバター画像を生成し、上記アバター画像提示手段は、上記アバター画像生成手段が生成した上記対象ユーザの第三のアバター画像を、上記対象ユーザに提示するものであってもよい。
【００１７】
上記の構成によれば、対象ユーザに対して、行動計画に応じた変化を反映させたアバター画像を提示することができるため、対象ユーザは、当該行動計画の効果を感覚的に理解することができる。
【００１８】
本発明の一態様に係る遺伝子検査結果提示装置は、上記対象ユーザの遺伝子検査結果から上記対象ユーザの体質情報を算出する算出手段を更に備えているものであってもよい。
【００１９】
上記の構成によれば、遺伝子検査結果提示装置が、対象ユーザの遺伝子検査結果から対象ユーザの体質情報を算出することができるため、対象ユーザの体質情報に応じた形態を有するアバター画像を容易に生成することができる。
【００２０】
本発明の一態様に係る遺伝子検査結果提示装置では、上記対象ユーザの体質情報は、上記対象ユーザの祖先を示すルーツ情報を含むものであってもよい。
【００２１】
上記の構成によれば、対象ユーザの祖先を示すルーツ情報に応じた形態を有するアバター画像を容易に生成することができる。これにより、上記遺伝子検査結果を感覚的に理解し易く示すと共に、対象ユーザのアバターであることが感覚的に理解し易いアバター画像を生成することができる。これにより、アバターおよび当該アバターが示す検査結果の印象を強め、ユーザの健康に対する意識をより向上させることができる。
【００２２】
本発明の一態様に係る遺伝子検査結果提示装置では、上記対象ユーザの体質情報は、複数の項目からなり、上記アバター画像生成手段は、上記対象ユーザの体質情報の一つ以上の項目に関連付けられた素材画像またはパラメータを抽出し、抽出した素材画像またはパラメータを参照して、上記対象ユーザのアバター画像を生成するものであってもよい。
【００２３】
上記の構成によれば、対象ユーザの体質情報に応じた形態を有するアバター画像を容易に生成することができる。
【００２４】
本発明の一態様に係るアバター画像生成装置では、対象ユーザの遺伝子検査結果に応じて決定された該対象ユーザの体質情報を参照して、該対象ユーザの体質情報に応じた形態を有する該対象ユーザのアバター画像を生成するアバター画像生成手段を備えていることを特徴としている。
【００２５】
上記の構成によれば、アバター画像生成装置は、遺伝子検査結果に応じて決定された対象ユーザの体質情報に応じた形態を有するアバター画像を生成する。このように、遺伝子検査結果をユーザが感覚的に理解し易い態様で示すアバター画像を生成することができる。
【００２６】
本発明の一態様に係る遺伝子検査結果提示方法は、対象ユーザの遺伝子検査結果を該対象ユーザに提示する遺伝子検査結果提示方法であって、該対象ユーザの遺伝子検査結果に応じて決定された該対象ユーザの体質情報を参照して、該対象ユーザの体質情報に応じた形態を有する該対象ユーザのアバター画像を生成するアバター画像生成ステップと、該アバター画像生成ステップにおいて生成した該対象ユーザのアバター画像を、該対象ユーザに提示するアバター画像提示ステップとを含んでいることを特徴としている。
【００２７】
上記の構成によれば、本発明の一態様に係る遺伝子検査結果提示装置と同等の効果を奏する。
【００２８】
本発明の各態様に係る情報管理サーバは、コンピュータによって実現してもよく、この場合には、コンピュータを上記情報管理サーバが備える各手段として動作させることにより上記情報管理サーバをコンピュータにて実現させる情報管理サーバのプログラム、およびそれを記録したコンピュータ読み取り可能な記録媒体も、本発明の範疇に入る。
【発明の効果】
【００２９】
本発明の一態様によれば、対象ユーザの遺伝子検査結果を、遺伝子検査結果に応じて決定された対象ユーザの体質情報に応じた形態を有するアバター画像によってユーザに提示することにより、遺伝子検査結果をユーザが感覚的に理解し易い態様で提示し、検査結果を閲覧することで、ユーザの健康に対する意識を向上させることができる。
【図面の簡単な説明】
【００３０】
【図１】本発明の一実施形態に係る情報管理サーバおよびユーザ端末の構成を示すブロック図である。
【図２】本発明の一実施形態に係る健康管理システムの構成を示す模式図である。
【図３】本発明の一実施形態に係るアバター画像の例を示す図である。
【図４】本発明の一実施形態に係る情報管理サーバおよびユーザ端末における表示画面生成処理の流れを示すシーケンス図である。
【図５】本発明の一実施形態における遺伝子検査結果−体質情報対応情報の一例を示す表である。
【図６】本発明の一実施形態におけるアバター生成情報の一例を示す表である。
【図７】本発明の一実施形態におけるユーザに対応するモデリング素材およびパラメータの例を示す表である。
【図８】本発明の一実施形態に係る、情報管理サーバで生成され、ユーザ端末で表示される表示画面の一例を示す図である。
【発明を実施するための形態】
【００３１】
以下、本発明の実施の形態について、詳細に説明する。ただし、以下の実施形態に記載されている構成は、特に特定的な記載がない限り、この発明の範囲をそれのみに限定する趣旨ではなく、単なる説明例に過ぎない。
【００３２】
〔健康管理システム〕
まず、本実施形態に係る健康管理システム１の構成について、図２を参照して説明する。図２は、本実施形態に係る健康管理システム１の構成を示す模式図である。
【００３３】
図２に示すように、健康管理システム１は、情報管理サーバ（遺伝子検査結果提示装置、アバター画像生成装置）１０、健康情報ＤＢ（データベース）２０、ユーザ端末３０、および、検査装置４０を含んで構成されている。
【００３４】
本実施形態に係る健康管理システム１において、ユーザ端末３０を所有するユーザは、自身の遺伝子が含まれる被験体サンプル（例えば、唾液、血液などの体液、口腔粘膜などの組織など）を所定の機関に送付する。所定の機関は、例えば、病院であってもよいし、遺伝子の解析が可能な研究施設であってもよいし、情報管理サーバ１０によるサービスを提供する機関などであってもよい。所定の機関は、ユーザから送られた被験体サンプルからユーザの遺伝子を解析し、解析結果を健康情報ＤＢ２０に格納する。
【００３５】
また、ユーザは、ユーザ端末３０を利用して情報管理サーバ１０にアクセスすることにより、自身の遺伝子の解析結果、又は、自身の遺伝子の解析結果に基づいた健康に関する情報などを確認することができる。
【００３６】
（情報管理サーバ）
情報管理サーバ１０は、各ユーザの所有するユーザ端末３０の各々に対して、当該ユーザの遺伝子検査結果に応じて決定された当該ユーザの体質情報を参照して、当該ユーザの体質情報に応じた形態を有する当該ユーザのアバター画像を生成し、当該ユーザに提示する。情報管理サーバ１０の具体的な構成については、参照する図面を替えて後述する。
【００３７】
なお、本明細書において、形態とは、形状および色彩を包摂する概念を指し、外観と称してもよい。
【００３８】
また、アバター画像を提示するとは、ユーザが当該アバター画像を確認できる状態にすることを指し、例えば、ユーザ端末３０に、アバター画像を含む表示画面を表示させることを指す。
【００３９】
（健康情報ＤＢ）
健康情報ＤＢ２０には、健康に関する情報が格納されている。また、健康情報ＤＢ２０に格納されている、健康に関する情報には、以下に説明するように、（１）ユーザに関す情報、および（２）その他の情報が含まれる。
【００４０】
ユーザに関する情報には、例えば以下の情報が含まれる。
・ユーザＩＤ：ユーザ毎に割り当てられた固有の識別子
・ユーザ基本情報：例えば名前、年齢、性別、身長、体重など、各ユーザの特性を示す情報
・体質情報：ユーザの遺伝子検査結果に応じて決定されるユーザの体質に関する情報
・遺伝子検査結果情報：ユーザの遺伝子検査結果に関する情報
・アバター修正情報：ユーザが、自らのアバター画像に対して行った修正に関する情報
・発症リスク情報：ユーザが各疾患を発症するリスク（発症リスク）を示す情報。発症リスクは、当該ユーザの遺伝子検査結果を参照することによって算出される。
・健康診断情報：ユーザが病院などで受けた健康診断および診療などに関する情報
・処方情報：ユーザが病院および薬局などで受けた処方箋などに関する情報
なお、ユーザ基本情報は、例えば、アンケート等によってユーザから取得したものである。
【００４１】
また、遺伝子検査結果情報には、ユーザの各遺伝子マーカ（例えば、ＳＮＰ）の検出結果等が含まれている。
【００４２】
また、体質情報は、例えば、図５の表に示す複数の項目からなる、ユーザの遺伝子検査結果による体質を示す情報である。なお、図５の表はあくまでも一例であり、本発明において用いられる体質情報の項目は図５に示すものに限定されない。
【００４３】
アバター修正情報の詳細については、後述する。
【００４４】
また、発症リスクは、例えば、統計や論文データ等に基づく、疾患の平均的な発症率を１とした場合の、ユーザの該疾患の発症率の平均的な発症率に対する相対値で示されてもよいし、ユーザが疾患を発症する可能性を１０段階で評価した値で示されてもよいし、特に限定されない。
【００４５】
また、健康診断情報、および処方情報は、例えば、情報管理サーバ１０が、ユーザ端末３０において実行されるアプリケーション、又は、ウェブブラウザなどから入力された情報を、ネットワークを介して取得すればよい。また、運動関連情報は、例えば、ユーザが使用する健康器具などからネットワークを介して取得されてもよい。
【００４６】
なお、ユーザに関する情報（ユーザＩＤを除く）、および、ユーザの健康に関する情報は、それぞれ対応するユーザＩＤに関連づけられて格納されている。
【００４７】
また、その他の情報には、例えば以下の情報が含まれる。
・モデリング素材群：アバター画像を構成するモデリング素材群
・遺伝子検査結果−体質情報対応情報：
・アバター生成情報：
・行動計画−アバター変更対応情報：
・因子−疾患相関情報：因子と疾患との相関関係を示す情報
・統計情報：疾患や因子に関する統計的な情報
・因子関連情報：因子の性質、および、因子による健康への影響、アドバイスなどに関する情報
・疾患関連情報：疾患の性質などに関する情報
なお、モデリング素材群は、これに限定するものではないが、頭、目、鼻、口、髪型、体、アクセサリ等について記録されている。
【００４８】
また、遺伝子検査結果−体質情報対応情報は、例えば、図５に示すようなテーブル情報であり、遺伝子検査結果に含まれる各遺伝子マーカ（例えば、ＳＮＰ）と対応する体質情報との対応関係を示す情報である。図５に示す例では、各項目についてＡ〜Ｃのバリエーションが設定されており、これらは、対応する遺伝子マーカ（ＳＮＰ）のタイプ（例えば、ＮＮ型、ＮＲ型およびＲＲ型）と対応している。ゆえに、ユーザの体質情報は、当該ユーザの遺伝子検査結果に応じて決定することができる。
【００４９】
また、アバター生成情報は、例えば、図６に示すようなテーブル情報であり、モデリング素材（素材画像）またはパラメータと、体質情報または属性情報との対応関係を示す情報である。なお、属性情報とは、例えば、対象ユーザのＢＭＩ値、年齢、身長等であり、遺伝子検査結果に応じて決定された体質情報とは異なる対象ユーザの状態を示す情報である。また、服の色、髪の色のようにランダムにモデリング素材またはパラメータが決定される項目も存在する。
【００５０】
また、行動計画−アバター変更対応情報は、行動計画と、当該行動計画に応じてアバター画像をどのように変更すべきかの情報との対応関係を示す情報である。
【００５１】
また、本実施形態において、疾患に関する因子には、当該疾患の原因となり得る因子である危険因子、および、当該疾患を予防し得る因子である予防因子の少なくとも何れかが含まれる。危険因子としては、例えば喫煙、肥満、および生活習慣病などが挙げられ、予防因子としては、例えば運動、および睡眠などが挙げられるが、これらの具体例もまた、本実施形態を限定するものではない。
【００５２】
また、統計情報には、各遺伝子型に関して、ゲノムＤＮＡ上に特定の塩基配列が存在する割合を示す頻度データが含まれる。なお、この頻度データを参照して、ある疾患に関する発症リスクの統計的分布を示すグラフが作成される。
【００５３】
なお、ユーザに関する情報、および、関連情報に含まれる情報は、上述の情報に限定されるものではない。例えば、関連情報には、上述の情報に加えて、因子および疾患の少なくとも何れかに関する詳細な情報が含まれていてもよいし、因子を含むユーザ向けメッセージが含まれていてもよいし、疾患に関するアドバイスが含まれていてもよい。
【００５４】
（ユーザ端末）
ユーザ端末３０は、情報管理サーバ１０から提供される表示画面を表示する。なお、ユーザ端末３０としては、例えば、ＰＣ（パーソナルコンピュータ）、携帯電話、スマートフォン、および、タブレット端末などを挙げることができるが、本実施形態はこれらに限定されるものではない。ユーザ端末３０の具体的な構成については、参照する図面を替えて後述する。
【００５５】
（検査装置）
検査装置４０は、ユーザの被験体サンプルが送付される所定の機関に設置された装置であって、送付された被験体サンプルからユーザの遺伝子を解析する装置である。なお、検査装置４０については従来の装置を使用することができるため、ここではその詳細な説明は省略する。
【００５６】
検査装置４０は、ユーザの遺伝子の解析結果を上述のユーザ基本情報の１つとして、健康情報ＤＢ２０に格納する。また、本実施形態では、検査装置４０は、ユーザの遺伝子の解析結果に基づき、該ユーザの各疾患の発症リスクを算出すると共に、算出した発症リスクを該ユーザの発症リスク情報として健康情報ＤＢ２０に格納する。
【００５７】
検査装置４０は、ユーザの遺伝子に含まれる遺伝子マーカー（例えば、ＳＮＰ）を直接検出するものであってもよいし、ユーザの遺伝子のシーケンスデータを読み取り、当該シーケンスデータから遺伝子マーカーを検出するものであってもよい。そして、検査装置４０は、検出した遺伝子マーカーと各種の疾患との関連性情報を参照して、ユーザの各疾患の発症リスクを算出する。遺伝子マーカーと各種の疾患との関連性情報は、例えば、種々の研究論文情報を根拠として予め作成されたものであり得る。
【００５８】
なお、検査装置４０においてユーザの各疾患の発症リスクを算出する構成を例に挙げて説明したが、本発明はこれに限定されるものではない。例えば、情報管理サーバ１０が、健康情報ＤＢ２０に格納されている健康情報の解析結果を参照してユーザの遺伝子の解析結果から該ユーザの各疾患の発症リスクを算出し、健康情報ＤＢ２０に格納する構成を採用することもできる。また、情報管理サーバ１０が、ユーザの遺伝子のシーケンスデータから遺伝子マーカーを検出してもよい。
【００５９】
〔情報管理サーバ、ユーザ端末の構成〕
次に、本実施形態に係る健康管理システム１に含まれる情報管理サーバ１０およびユーザ端末３０の構成について、図１を参照して説明する。図１は、本実施形態に係る情報管理サーバ１０およびユーザ端末３０の構成および機能を示すブロック図である。なお、図１では、説明の簡単化のため、健康管理システム１の備える情報管理サーバ１０、健康情報ＤＢ２０およびユーザ端末３０のみを図示し、他の構成は省略している。
【００６０】
（情報管理サーバの構成）
図１に示すように、本実施形態に係る情報管理サーバ１０は、通信部（修正受付手段、計画受付手段）１０１、および制御部１１０を備えており、また、制御部１１０は、体質情報算出部（算出手段）１０２、アバター画像生成部（アバター画像生成手段）１０３、および、表示画面生成部（アバター画像提示手段）１０４としての機能を有している。
【００６１】
通信部１０１は、ユーザ端末３０とネットワークを介して無線通信を行うインターフェースである。通信部１０１は、ユーザ端末３０から送信されるユーザＩＤを受信する。通信部１０１は、受信したユーザＩＤを、制御部１１０の体質情報算出部１０２に供給する。
【００６２】
また、通信部１０１は、ユーザ端末３０から送信される遺伝子検査結果提示指示を受信すると、受信した遺伝子検査結果提示指示を体質情報算出部１０２に供給する。ここで、遺伝子検査結果提示指示とは、ユーザ端末３０の操作部３０４を介してユーザから入力される、遺伝子検査結果に関する情報を提示する旨のユーザ指示を指す。
【００６３】
また、通信部１０１は、ユーザ端末３０から送信される修正開始指示、修正指示、および行動計画情報を受信する。
【００６４】
体質情報算出部１０２は、健康情報ＤＢ２０にアクセスして、対象ユーザの体質情報を算出する。アバター画像生成部１０３は、体質情報算出部１０２が算出した体質情報を参照して、対象ユーザのアバター画像を生成する。
【００６５】
表示画面生成部１０４は、ユーザ端末３０に配信するための表示画面を生成する。ここで、表示画面を生成するとは、ユーザ端末３０において当該表示画面を表示するために参照される表示画面データ（例えば、ＨＴＭＬ形式のデータ、ＸＭＬ形式のデータなど）を生成することを含む。表示画面生成部１０４は、アバター画像生成部１０３が生成したアバター画像を含む表示画面を生成する。
【００６６】
（ユーザ端末の構成）
ユーザ端末３０は、図１に示すように、通信部３０１、制御部３０２、表示部３０３、および、操作部３０４を備えている。
【００６７】
通信部３０１は、情報管理サーバ１０とネットワークを介して無線通信を行うインターフェースである。通信部３０１は、情報管理サーバ１０の通信部１０１から、当該ユーザ端末３０に表示する表示画面データを受信する。例えば、ＨＴＭＬ形式で受信された表示画面データは、ユーザ端末３０のブラウザ等で表示される。
【００６８】
操作部３０４は、ユーザ端末３０に対するユーザ操作を受け付ける。例えば、操作部３０４は、当該ユーザ端末３０を所有するユーザを示すユーザＩＤの入力、遺伝子検査結果提示指示などを受け付ける。また、操作部３０４は、表示画面における何れかのオブジェクトにフォーカスを合わせるユーザ操作（これは、例えば、当該オブジェクトにカーソルを重畳させることによってなされる）、および、表示画面における何れかのオブジェクトを選択するユーザ操作（これは、例えば、当該オブジェクトにフォーカスを合わせたうえで、ボタンを押下すること等によってなされる）を受け付ける。
【００６９】
制御部３０２は、ユーザ端末３０の備える各部を統合的に制御する。また、制御部３０２は、通信部３０１において受信した表示画面データを表示するよう表示部３０３を制御する。さらに、制御部３０２は、操作部３０４を操作することにより入力されたユーザＩＤ、遺伝子検査結果提示指示などを情報管理サーバ１０に送信するよう通信部３０１を制御する。
【００７０】
〔表示画面の生成処理〕
次に、本実施形態に係る情報管理サーバ１０における表示画面生成処理の流れについて、図４を参照して説明する。図４は、本実施形態に係る情報管理サーバ１０において表示画面生成処理が実行される際の、情報管理サーバ１０、および、ユーザ端末３０における処理の流れを示すシーケンス図である。
【００７１】
（ステップＳ１００）
まず、ユーザ端末３０の通信部３０１は、情報管理サーバ１０の通信部１０１に対して、ユーザＩＤおよび体質情報を提示することを指示する遺伝子検査結果提示指示を通知する。情報管理サーバ１０の通信部１０１は、当該遺伝子検査結果提示指示を取得する。
【００７２】
なお、遺伝子検査結果提示指示は、例えば、ユーザ端末３０において、遺伝子検査結果に基づいて生成された各種情報に関する表示画面においてユーザが操作部３０４を操作して体質情報を選択（指定）することによってなされてもよいし、体質情報を表示するためのＵＩ（User Interface）を選択することによってなされてもよいし、特に限定されない。以下、上記遺伝子検査結果提示指示に指定されたユーザＩＤに対応するユーザを、「対象ユーザ」とする。
【００７３】
（ステップＳ１０１）
情報管理サーバ１０の体質情報算出部１０２は、ステップＳ１００にて取得された遺伝子検査結果提示指示に従って健康情報ＤＢ２０にアクセスし、対象ユーザの体質情報を算出する。
【００７４】
詳細に述べれば、一例において、体質情報算出部１０２は、健康情報ＤＢ２０から、図５に示すような、遺伝子検査結果と体質情報の各項目との対応を示す遺伝子検査結果−体質情報対応情報、および、対象ユーザの遺伝子検査結果を取得し、当該遺伝子検査結果−体質情報対応情報を参照して、対象ユーザの遺伝子検査結果から、対象ユーザの体質情報を算出する。そして、体質情報算出部１０２は、算出した体質情報を、アバター画像生成部１０３に提供する。
【００７５】
上記遺伝子検査結果−体質情報対応情報には、図５に示すように、遺伝子マーカ（ＳＮＰ）と、体質情報の各項目との対応関係が示されている。例えば、ＳＮＰ１のタイプがＡであれば、「体重（体質）」という体質情報の項目が、「重くなり易い」であると算出することができる。
【００７６】
このように、情報管理サーバ１０が、体質情報算出部１０２を備えていることにより、体質情報算出部１０２が、対象ユーザの遺伝子検査結果から対象ユーザの体質情報を算出し、アバター画像生成部１０３に提供することができる。これにより、情報管理サーバ１０は、後述するように、当該算出した体質情報を参照して、対象ユーザの体質情報に応じた形態を有するアバター画像を容易に生成することができる。
【００７７】
なお、体質情報算出部１０２は、同一の対象ユーザから遺伝子検査結果提示指示を取得する毎に、当該対象ユーザの体質情報を算出してもよいが、一度、当該対象ユーザの体質情報を算出したときに、当該対象ユーザの体質情報を、健康情報ＤＢ２０に格納し、それ以降に、同一の対象ユーザから遺伝子検査結果提示指示を取得したときは、健康情報ＤＢ２０から当該対象ユーザの体質情報を抽出するようにしてもよい。また、情報管理サーバ１０とは異なる装置が、予め各ユーザの体質情報を各ユーザの遺伝子検査結果を参照して算出し、健康情報ＤＢ２０に格納しておいてもよい。
【００７８】
（ステップＳ１０２）
アバター画像生成部１０３は、体質情報算出部１０２から提供された体質情報および健康情報ＤＢ２０から抽出した対象ユーザの属性情報（年齢、性別、身長、体重等）を参照し、対象ユーザの体質情報および属性情報に応じた形態を有する対象ユーザのアバター画像を生成する。属性情報は、例えば、健康情報ＤＢ２０のユーザ基本情報から抽出する。
【００７９】
詳細に述べれば、一例において、アバター画像生成部１０３は、健康情報ＤＢ２０から、図６に示すような、モデリング素材（素材画像）またはパラメータと、体質情報または属性情報との対応を示すテーブル情報であるアバター生成情報を取得し、当該アバター生成情報から、対象ユーザの体質情報および属性情報に関連付けられたモデリング素材およびパラメータを抽出する。
【００８０】
まず、体質情報に関連付けられたモデリング素材またはパラメータを抽出する場合の例について説明する。例えば、対象ユーザの「ルーツ情報」が「縄文系」である場合には、アバター画像生成部１０３は、頭の輪郭のモデリング素材として、「デフォルトの輪郭（縄文系）」を抽出し、健康情報ＤＢ２０に格納されているモデリング素材群から、対象ユーザの性別に対応する「デフォルトの輪郭（縄文系）」のモデリング素材を取得する。また、対象ユーザの「肌のくすみ」が「肌の反射率が高く、肌がくすみ難い」である場合には、アバター画像生成部１０３は、「肌色」の「艶感」のパラメータとして、「艶感が高い」パラメータを抽出する。
【００８１】
次に、属性情報に関連付けられたモデリング素材またはパラメータを抽出する場合の例について説明する。例えば、対象ユーザの「年齢」が所定の年齢よりも高い場合、アバター画像生成部１０３は、「しわ」のモデリング素材として、「年齢を表す法令線、目元のしわ」が「濃い」モデリング素材を抽出し、健康情報ＤＢ２０に格納されているモデリング素材群から、「年齢を表す法令線、目元のしわ」が「濃い」のモデリング素材を取得する。また、アバター画像生成部１０３は、対象ユーザの「身長」に応じて、「体」の「長さ」のパラメータを決定する。
【００８２】
また、一部のモデリング素材またはパラメータについては、ランダムに決定してもよい。例えば、図６に示すように、「服の色」を示すパラメータを、ランダムに決定してもよい。これにより、対象ユーザのアバター画像に個性を与えることができる。
【００８３】
なお、どの部位のモデリング素材またはパラメータを、体質情報もしくは属性情報に基づいて、またはランダムに決定するかは特に限定されず、全てのモデリング素材またはパラメータを、体質情報の項目に基づいて抽出してもよい。
【００８４】
アバター画像生成部１０３は、以上のように抽出したモデリング素材およびパラメータを用いて、アバター画像を生成する。アバター画像生成部１０３が生成するアバター画像の例を図３の（ａ）〜（ｄ）に示す。例えば、アバター画像生成部１０３が抽出したモデリング素材およびパラメータが、図７のユーザ１に示すものであった場合、図３の（ａ）のようなアバター画像が生成される。また、例えば、アバター画像生成部１０３が抽出したモデリング素材およびパラメータが、図７のユーザ２に示すものであった場合、図３の（ｂ）のようなアバター画像が生成される。
【００８５】
以上により、アバター画像生成部１０３は、対象ユーザの体質情報に応じた形態を有するアバター画像を生成することができる。そして、アバター画像生成部１０３は、生成したアバター画像を表示画面生成部１０４に提供する。
【００８６】
なお、アバター画像生成部１０３が、対象ユーザの年齢、性別、体重および身長からなる群より選択される少なくとも一つの属性情報を更に参照して、対象ユーザの体質情報および属性情報に応じた形態を有する対象ユーザのアバター画像を生成するようにすることにより、情報管理サーバ１０は、遺伝子検査結果を感覚的に理解し易く示すと共に、対象ユーザのアバターであることが感覚的に理解し易いアバター画像を生成し、ユーザに提示することができる。
【００８７】
また、アバター画像生成部１０３が、対象ユーザのアバター画像を生成するときに、参照する体質情報の項目は特に限定されないが、例えば、遺伝子検査結果に「ルーツ情報」が含まれ、アバター画像生成部１０３が、当該「ルーツ情報」を参照してアバター画像を生成することにより、対象ユーザの祖先を示すルーツ情報に応じた形態を有するアバター画像を容易に生成することができる。これにより、情報管理サーバ１０は、遺伝子検査結果を感覚的に理解し易く示すと共に、対象ユーザのアバターであることが感覚的に理解し易いアバター画像を生成することができる。
【００８８】
また、アバター画像生成部１０３が、対象ユーザのアバター画像を生成するときに、当該アバター画像を特徴付ける形態的要素のうち一部をランダムに決定することにより、対象ユーザのアバター画像に個性を与えることができる。
【００８９】
以上により、アバターおよび当該アバターが示す検査結果の印象を強め、ユーザの健康に対する意識をより向上させることができる。
【００９０】
（ステップＳ１０３）
表示画面生成部１０４は、アバター画像生成部１０３から提供されたアバター画像を含む表示画面を生成する。表示画面生成部１０４が生成する表示画面の一例を、図８に示す。図８に示す表示画面４０には、アバター画像４００および対象ユーザの体質情報を示すテキスト４０１が含まれている。情報管理サーバ１０は、表示画面生成部１０４において生成した表示画面を、通信部１０１を介してユーザ端末３０に配信する。ユーザ端末３０の制御部３０２は、情報管理サーバ１０から通信部３０１を介して取得した表示画面を、表示部３０３に表示させる。
【００９１】
このように、対象ユーザの遺伝子検査結果を対象ユーザに提示する遺伝子検査結果提示装置として機能する情報管理サーバ１０は、対象ユーザの遺伝子検査結果に応じて決定された対象ユーザの体質情報を参照して、対象ユーザの体質情報に応じた形態を有する対象ユーザのアバター画像を生成するアバター画像生成部１０３と、アバター画像生成部１０３が生成した対象ユーザのアバター画像を、対象ユーザに提示する表示画面生成部１０４とを備えていることにより、対象ユーザに対して、遺伝子検査結果に応じて決定された対象ユーザの体質情報に応じた形態を有するアバター画像を提示することができる。このように、情報管理サーバ１０は、対象ユーザの遺伝子検査結果を、単なる数値やグラフ等ではなく、遺伝子検査結果に応じて決定された対象ユーザの体質情報に応じた形態を有するアバター画像によってユーザに提示することにより、遺伝子検査結果をユーザが感覚的に理解し易い態様で提示し、検査結果を閲覧することで、ユーザの健康に対する意識を向上させることができる。
【００９２】
（ステップＳ１０４）
図８に示すように、表示画面生成部１０４によって生成され、ユーザ端末３０の表示部３０３に表示される表示画面４０には、任意の部材の修正を開始する修正開始指示を情報管理サーバ１０に送信するためのＵＩ４１０が配置されている。ＵＩ４１０は、ドロップボックス４１１およびボタン４１２からなる。対象ユーザが、ドロップボックス４１１によって、修正対象とするアバター画像の部位を選択し、ボタン４１２を押下した場合、通信部３０１は、修正対象とするアバター画像の部位を指定する修正開始指示を情報管理サーバ１０の通信部１０１に送信する。
【００９３】
（ステップＳ１０５）
通信部１０１は、修正開始指示を受信すると、表示画面生成部１０４に修正開始指示を提供する。表示画面生成部１０４は、修正開始指示が指定するアバター画像の部位について、対象ユーザからの修正指示の入力を受け付けるための選択画面を生成させる。当該選択画面は、例えば、修正開始指示が指定するアバター画像の部位のモデリング素材またはパラメータの一覧を示す画像を含むものであり得る。そして、通信部１０１は、表示画面生成部１０４が生成した選択画面をユーザ端末３０に配信する。
【００９４】
（ステップＳ１０６）
対象ユーザが、ユーザ端末３０に配信された選択画面から、希望するモデリング素材またはパラメータを選択した場合、通信部３０１は、対処ユーザが選択したモデリング素材またはパラメータを指定する修正指示を情報管理サーバ１０の通信部１０１に送信する。
【００９５】
（ステップＳ１０７）
通信部１０１は、修正指示を受信すると、アバター画像生成部１０３に、修正開始指示および修正指示を提供する。アバター画像生成部１０３は、修正開始指示が指定するアバター画像の部位のモデリング素材またはパラメータを、修正指示が指定するモデリング素材またはパラメータに変更した修正アバター画像（第二のアバター画像）を生成し、表示画面生成部１０４に、修正アバター画像を提供する。また、アバター画像生成部１０３は、アバター画像の修正内容（修正開始指示が指定するアバター画像の部位のモデリング素材またはパラメータ、および、修正指示が指定するモデリング素材またはパラメータ）を、アバター修正情報として健康情報ＤＢ２０に格納する。
【００９６】
（ステップＳ１０８）
表示画面生成部１０４は、アバター画像生成部１０３から提供された修正アバター画像を含む表示画面を生成する。当該表示画面は、例えば、図８に示す表示画面４０において、アバター画像４００の替わりに、修正アバター画像が配置されたものであり得る。ステップＳ１０３と同様、当該表示画面は、通信部１０１を介してユーザ端末３０に配信され、表示部３０３に表示される。
【００９７】
以上のように、情報管理サーバ１０の通信部１０１は、ユーザ端末３０に配信した対象ユーザのアバター画像に対する、当該対象ユーザからの修正指示の入力を受け付け、アバター画像生成部１０３が、当該修正指示を反映させた修正アバター画像を生成し、通信部１０１を介してユーザ端末３０に配信する。
【００９８】
これにより、遺伝子検査結果に応じて決定された対象ユーザの体質情報に応じた形態を有するアバター画像を、対象ユーザが修正可能とすることにより、対象ユーザのアバター画像に個性を与えることができる。なお、健康情報ＤＢ２０に同じ部位のモデリング素材が多数格納して、ユーザに自由に選択させることにより、対象ユーザのアバター画像により個性を与えることができる。
【００９９】
また、対象ユーザは、ステップＳ１０４〜Ｓ１０８を繰り返すことにより、アバター画像を現在の自分に近づけるように修正していってもよい。その過程において、対象ユーザは、例えば、自分は太り難い体質であるのに、現在は太っているといった、自身の生まれ持つ遺伝子的な体質と、現在の自分との差異に気付くことができる。これにより、対象ユーザに対し、生活習慣の見直し等のきっかけを与えることができる。
【０１００】
（ステップＳ１０９）
図８に示すように、表示画面生成部１０４によって生成され、ユーザ端末３０の表示部３０３に表示される表示画面４０には、対象ユーザの行動計画を入力するためのＵＩ４２０が配置されている。ＵＩ４２０は、ドロップボックス４２１および４２２ならびにボタン４２３からなる。対象ユーザが、ドロップボックス４２１によって、行動計画における行動の種類を選択し、ドロップボックス４２２によって、行動計画における行動の期間を選択し、ボタン４２３を押下した場合、通信部３０１は、行動計画情報（行動計画における行動の種類および期間を含む）を情報管理サーバ１０の通信部１０１に送信する。
【０１０１】
（ステップＳ１１０）
通信部１０１は、行動計画情報を受信すると、アバター画像生成部１０３に、行動計画情報を提供する。アバター画像生成部１０３は、健康情報ＤＢ２０から行動計画−アバター変更対応情報を取得し、当該行動計画−アバター変更対応情報を参照して、提供された行動計画情報に対応するアバター画像の変更様式を取得する。
【０１０２】
当該行動計画−アバター変更対応情報は、各ユーザが、特定の行動計画を完遂したときに、どのような影響が各ユーザにあるかを、行動計画情報にアバター画像の変更様式を対応付けることによって示すものである。例えば、行動計画における行動の種類がジョギング等の運動であり、一定以上の行動の期間を伴う行動計画情報には、アバター画像の部位「体」のパラメータ「太さ」を減少させる変更様式を対応付けられる。
【０１０３】
そして、アバター画像生成部１０３は、取得したアバター画像の変更様式に従って、アバター画像を修正し、予測アバター画像（第三のアバター画像）を生成し、表示画面生成部１０４に、予測アバター画像を提供する。
【０１０４】
（ステップＳ１１１）
表示画面生成部１０４は、アバター画像生成部１０３から提供された予測アバター画像を含む表示画面を生成する。当該表示画面は、例えば、図８に示す表示画面４０において、アバター画像４００の替わりに、予測アバター画像が配置されたものであり得る。ステップＳ１０３と同様、当該表示画面は、通信部１０１を介してユーザ端末３０に配信され、表示部３０３に表示される。
【０１０５】
以上のように、情報管理サーバ１０の通信部１０１は、対象ユーザの行動計画の入力を受け付け、アバター画像生成部１０３は、通信部１０１が受け付けた対象ユーザの行動計画を参照して、行動計画に応じた変化を反映させた対象ユーザの予測アバター画像を生成し、通信部１０１を介してユーザ端末３０に配信する。
【０１０６】
これにより、対象ユーザに対して、行動計画に応じた変化を反映させたアバター画像を提示することができるため、対象ユーザは、当該行動計画の効果を感覚的に理解することができる。
【０１０７】
なお、情報管理サーバ１０は、上述したもの以外の理由によって、アバター画像を変更してもよい。例えば、（ｉ）ユーザ端末３０が活動量計を備えており、（ｉｉ）対象ユーザが運動したことを検知した場合、（ｉｉｉ）ユーザ端末３０から情報管理サーバ１０に当該検知情報を送信し、（ｉｖ）これを受けて、アバター画像生成部１０３が、疲れている様子のアバター画像を生成し、（ｖ）表示画面生成部１０４が、疲れている様子のアバター画像を含む表示画面を生成し、（ｖｉ）通信部１０１を介してユーザ端末３０に配信してもよい。
【０１０８】
〔ソフトウェアによる実現例〕
情報管理サーバ１０およびユーザ端末３０の制御ブロック（特に、制御部１１０の体質情報算出部１０２、アバター画像生成部１０３および表示画面生成部１０４、並びに、制御部３０２）は、集積回路（ＩＣチップ）等に形成された論理回路（ハードウェア）によって実現してもよいし、ＣＰＵ（Central Processing Unit）を用いてソフトウェアによって実現してもよい。
【０１０９】
後者の場合、情報管理サーバ１０およびユーザ端末３０は、各機能を実現するソフトウェアであるプログラムの命令を実行するＣＰＵ、上記プログラムおよび各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１２】
本発明は、健康管理を支援するサーバに好適に利用することができる。
【符号の説明】
【０１１３】
１      健康管理システム
１０    情報管理サーバ
２０    健康情報ＤＢ
３０    ユーザ端末（端末装置）
４０    検査装置
１０１  通信部（修正受付手段、計画受付手段）
１０２  体質情報算出部（算出手段）
１０３  アバター画像生成部（アバター画像生成手段）
１０４  表示画面生成部（アバター画像提示手段）
１１０  制御部
３０１  通信部
３０２  制御部
３０３  表示部
３０４  操作部
【図１】
2016071721.tif 000003
【図２】
2016071721.tif 000004
【図３】
2016071721.tif 000005
【図４】
2016071721.tif 000006
【図５】
2016071721.tif 000007
【図６】
2016071721.tif 000008
【図７】
2016071721.tif 000009
【図８】
2016071721.tif 000010